(57)【特許請求の範囲】
【請求項１】
記録媒体に対して画像データを記録する記録手段と、
前記記録手段による前記画像データの記録開始前に、前記記録媒体に記録された画像データの再生手順を示す複数の再生リストから任意の再生リストを選択する選択手段と、
前記記録手段による前記画像データの記録停止に応じて、前記記録停止に係る前記画像データを再生するように前記選択手段により任意に選択された再生リストの再生手順を変更する再生リスト制御手段と、
前記選択手段により任意に選択された再生リストの再生手順の変更を許可する指示手段と、
表示手段と、
前記画像データの記録停止から所定期間の間前記指示手段による指示を促すための所定の画像を表示し、前記所定期間後に消去するよう前記表示手段を制御する表示制御手段とを備え、
前記再生リスト制御手段は前記記録手段による前記画像データの記録停止から前記所定期間経過する前に、前記選択手段により任意に選択された再生リストの再生手順の変更が前記指示手段により許可されたことに応じて前記再生リストの再生手順を変更し、
前記表示制御手段は、更に、前記記録停止に係る画像データ中の一画面を前記記録停止から前記所定期間の間前記所定の画像と共に表示し、前記所定期間後に消去するよう前記表示手段を制御することを特徴とする記録装置。
【請求項２】
前記記録媒体に記録された画像データのうち、前記記録停止に応じた再生リストの内容の変更が行われなかった画像データを検索する検索手段を備えたことを特徴とする請求項１記載の記録装置。
【請求項３】
記録媒体に対して画像データを記録する記録手段と、
前記記録手段による前記画像データの記録開始前に、前記記録媒体に記録された画像データの再生手順を示す複数の再生リストから任意の再生リストを選択する選択手段と、
前記記録手段による前記画像データの記録停止に応じて、前記記録停止に係る前記画像データを再生するように前記選択手段により任意に選択された再生リストの再生手順を変更する再生リスト制御手段と、
前記選択手段により任意に選択された再生リストの再生手順を変更を許可する指示手段を備え、
前記再生リスト制御手段は前記記録手段による前記画像データの記録停止から所定期間経過する前に、前記選択手段により任意に選択された再生リストの再生手順の変更が前記指示手段により許可されたことに応じて前記再生リストの再生手順を変更し、
前記記録媒体に記録された画像データのうち、前記記録停止に応じた再生リストの内容の変更が行われなかった画像データを検索する検索手段を備えたことを特徴とする記録装置。
【請求項４】
前記検索手段により検出された画像データを一括して前記記録媒体より消去する消去手段を備えたことを特徴とする請求項２または３記載の記録装置。
【請求項５】
前記再生リスト制御手段は前記記録手段による前記画像データの記録停止から所定期間経過する前に、前記選択手段により任意に選択された再生リストの再生手順の変更が前記指示手段により許可されなかった場合、前記再生リストの再生手順を変更しないことを特徴とする請求項１から４のいずれか１項記載の記録装置。
【請求項６】
前記画像データを発生する撮像手段を備えたことを特徴とする請求項１から４のいずれか１項記載の記録装置。
【請求項７】
記録媒体に対して画像データを記録する記録手段と、前記記録媒体に記録された画像データの再生手順を示す複数の再生リストから任意の再生リストを選択する選択手段と、前記記録手段による前記画像データの記録停止に応じて、前記記録停止に係る前記画像データを再生するように前記選択手段により任意に選択された再生リストの再生手順を変更する再生リスト制御手段と、前記選択手段により任意に選択された再生リストの再生手順を変更を許可する指示手段と、表示手段と、前記画像データの記録停止から所定期間の間前記指示手段による指示を促すための所定の画像を表示し、前記所定期間後に消去するよう前記表示手段を制御する表示制御手段とを備えた記録装置の制御方法であって、
前記記録手段による前記画像データの記録停止から前記所定期間経過する前に、前記再生リスト制御手段は前記選択手段により任意に選択された再生リストの再生手順の変更が前記指示手段により許可されたことに応じて、前記記録手段による前記画像データの記録開始前に前記選択手段により任意に選択された再生リストの再生手順を変更し、
前記記録停止に係る画像データの一画面を前記記録停止から前記所定期間の間前記所定の画像と共に表示し、前記所定期間後に消去するよう前記表示手段を制御することを特徴とする制御方法。
【請求項８】
記録媒体に対して画像データを記録する記録手段と、前記記録手段による前記画像データの記録開始前に、前記記録媒体に記録された画像データの再生手順を示す複数の再生リストから任意の再生リストを選択する選択手段と、前記記録手段による前記画像データの記録停止に応じて、前記記録停止に係る前記画像データを再生するように前記選択手段により任意に選択された再生リストの再生手順を変更する再生リスト制御手段と、前記選択手段により任意に選択された再生リストの再生手順を変更を許可する指示手段とを備えた記録装置の制御方法であって、
前記記録手段による前記画像データの記録停止から所定期間経過する前に、前記選択手段により任意に選択された再生リストの再生手順の変更が前記指示手段により許可されたことに応じて前記再生リストの再生手順を変更し、
前記記録媒体に記録された画像データのうち、前記記録停止に応じた再生リストの内容の変更が行われなかった画像データを検索することを特徴とする制御方法。
【請求項９】
前記検索により検出された画像データを一括して前記記録媒体より消去することを特徴とする請求項８記載の制御方法。
【発明の詳細な説明】
【０００１】
【発明の属する技術分野】
本発明は記録装置及びその方法に関し、特に、再生手順を示す再生リストデータの処理に関する。
【０００２】
【従来の技術】
近年、画像データや音声データなどをデジタルデータとして光ディスク等のディスク媒体に記録するビデオカメラが提案されている。このようなディスク媒体を用いたビデオカメラにおいては、そのランダムアクセス性を生かし、記録されたデータの再生手順を示す再生プログラムを記述した再生リストファイルにより、ディスクに記録されたデータのうち、任意のデータを好みの順序で再生する機能も考えられている。
【０００３】
このプレイリストを複数持つことで、同じディスクに記録されたデータを異なる手順で再生することも可能となる。
【０００４】
このように、一つのディスクに記録された画像のうち、好みのシーンを自由に組み合わせて所望の再生手順を示すプレイリストを作成するためには、ディスクに記録されたデータを再生、モニタしながら所望の再生プログラムとなるようにユーザが任意のシーンのクリップについてＩＮ点とＯＵＴ点とを設定する必要がある。
【０００５】
また、このような再生リスト機能を用いて、所定の目的（用途、条件）に一致するシーンのみを自動的に再生することもできるが、そのためには、やはり、前述のようにディスクより再生した画像を確認しながら再生リストを編集する必要がある。
【０００６】
【発明が解決しようとする課題】
前述のように、再生リスト機能は大変便利な機能であるが、ディスクより再生された画像を見ながら再生リストを編集する作業は、これを業としない一般ユーザにとっては非常に困難である。
【０００７】
また、ビデオカメラは専ら撮影や記録された画像の再生のために使用されるものであり、このような再生リスト機能を実現するに当たり、その操作性は大変重要であり、一般のユーザにとって簡単に操作できるユーザインターフェイスが望まれる。
【０００８】
本発明はこのような問題点を解決することを目的とする。
【０００９】
また、本発明の他の目的は、簡単な操作にてユーザの所望する再生リストを生成可能とする処にある。
【００１０】
また、本発明の更に他の目的は、再生リスト機能を十分に活用可能とする処にある。
【００１１】
【課題を解決するための手段】
本発明によれば、記録媒体に対して画像データを記録する記録手段と、前記記録手段による前記画像データの記録開始前に、前記記録媒体に記録された画像データの再生手順を示す複数の再生リストから任意の再生リストを選択する選択手段と、前記記録手段による前記画像データの記録停止に応じて、前記記録停止に係る前記画像データを再生するように前記選択手段により任意に選択された再生リストの再生手順を変更する再生リスト制御手段と、前記選択手段により任意に選択された再生リストの再生手順の変更を許可する指示手段と、表示手段と、前記画像データの記録停止から所定期間の間前記指示手段による指示を促すための所定の画像を表示し、前記所定期間後に消去するよう前記表示手段を制御する表示制御手段とを備え、前記再生リスト制御手段は前記記録手段による前記画像データの記録停止から前記所定期間経過する前に、前記選択手段により任意に選択された再生リストの再生手順の変更が前記指示手段により許可されたことに応じて前記再生リストの再生手順を変更し、前記表示制御手段は、更に、前記記録停止に係る画像データ中の一画面を前記記録停止から前記所定期間の間前記所定の画像と共に表示し、前記所定期間後に消去するよう前記表示手段を制御することを特徴とする構成とした。
【００１２】
【発明の実施の形態】
以下、本発明が適用される発明の実施の形態について説明する。
【００１３】
図１は本発明を適用したビデオカメラレコーダ１００の構成を示すブロック図である。
【００１４】
図１において、１０１は撮像部、１０３は画像データに対する符号化、復号化の処理を行う画像処理回路、１０５はディスク１０７に対してデータを記録再生する記録再生回路、１０７はＤＶＤ−ＲＡＭディスクなどの光磁気ディスク、１０９はモニタ１１１に対する画像の表示を制御する表示制御回路、１１１は液晶パネルなどのモニタである。
【００１５】
また、１１５はカメラレコーダ１００の各部の動作を制御するコントローラ、１１７はカメラモード時に有効となる撮影操作ボタン部であり、静止画記録用のフォトキーと、動画記録用のトリガキーとを有する。１１９は再生リストボタンであり、内部にＬＥＤを有する。１２１はカメラレコーダ１００の電源、及びモード切り換えスイッチ、１２３は再生操作ボタン部で、ストップ、再生、プラスサーチ、マイナスサーチ、ポーズの５つの輝キーを有する。１２５はメニューの操作や後述の再生リストの選択のための十字選択ボタン、１２７はディスク１０７より再生された再生リスト、あるいは、新規に生成した再生リストを記憶する再生リストメモリである。
【００１６】
図２は図１のカメラレコーダの各キー操作に伴う動作状態の遷移を示す図である。図２において、２０１〜２１１は図１の各操作キー、ボタンの操作の様子を示している。また、３０１〜３１１はこれらのキー操作により遷移する状態を示しており、各状態の間の矢印はキー操作に伴う遷移の方向を示しているが、Ｕターンした矢印は一度状態が変化した後、自動的にもとの状態に戻る様子を示している。
【００１７】
以下、図２を用いて、図１のカメラレコーダによる記録再生動作について説明する。
【００１８】
まず、通常の記録動作について説明する。
【００１９】
電源オフの状態３０１において、電源・モードスイッチ１２１を操作することにより、撮影を行うカメラモード、あるいは、ディスク１０７から画像を再生する再生モードのいずれかのモードに設定することができる。電源・モードスイッチ１２１はスライド式の３ポジションスイッチとなっており、ユーザはこの電源・モードスイッチをスライドさせることで、電源オフから直接、カメラモードあるいは再生モードに移行可能である。
【００２０】
まず、カメラモードに設定すると、カメラレコーダ１００は記録スタンバイ状態３０２となり、コントローラ１１５は表示制御回路１０９を制御して撮像回路１０１から出力される画像をモニタ１１１に表示する。この状態でトリガキー操作２０３があると動画記録状態３０３に移行し、コントローラ１１５は画像処理回路１０３及び記録再生回路１０５を制御し、画像データの記録を開始する。
【００２１】
画像処理回路１０３は撮像回路１０１から出力される動画像データをＭＰＥＧ２の規格に従い符号化し、ＭＰＥＧ２のトランスポートストリーム形式にて記録再生回路１０５に出力する。記録再生回路１０５は画像処理回路１０３より出力されたデータ列に対し、ファイル名などを含むヘッダやその他の付加情報を付加して定められたフォーマットに変換し、ディスク１０７に記録する。
【００２２】
動画記録状態３０３において再びトリガキー操作２０２があると、コントローラ１１５は画像処理回路１０３及び記録再生回路１０５を制御し、画像データの記録を停止して記録スタンバイ状態３０２に戻る。
【００２３】
記録再生回路１０５は、コントローラ１１５からの記録停止の指示に従い、画像処理回路１０３からのデータ列に対して所定のフッタなどを付加し、ディスク１０７に対する記録を停止する。本形態では、トリガキー操作２０２による記録開始から、トリガキー操作２０３による記録停止までの間の一連の動画像データを一つのファイルとしてディスク１０７に記録する。
【００２４】
次に、静止画記録について説明する。
【００２５】
記録スタンバイ状態３０２において、フォトキーの操作２０４があると静止画記録状態３０４に移行し、コントローラ１１５は画像処理回路１０３を制御する。画像処理回路１０３は、コントローラ１１５からの静止画記録の指示に応じて、撮像回路１０１から出力されている画像データのうちの１フレームを抽出し、ＪＰＥＧ規格に従って符号化し、記録再生回路１０５に出力する。記録再生回路１０５はこの符号化された静止画像データに対し、所定のヘッダ、フッタなどを付加して所定のフォーマットに従うファイルを生成し、ディスク１０７に記録する。
【００２６】
静止画記録が終了すると、図２に示したように自動的に記録スタンバイ状態３０２に戻る。
【００２７】
次に、カメラモードにおける再生リスト（以下ＰＬ）に関連した処理について説明する。
【００２８】
本形態において、ＰＬボタン１１９はカメラモード、再生モードのいずれのモードにおいてもその操作が有効であり、１秒以内の短時間操作と、１秒を超える長時間操作の２つの操作をコントローラ１１５により識別できる。また、ＰＬボタン１１９はカメラレコーダ１００本体上の操作ボタンとして、カメラモードと再生モードのいずれのモードにおいても操作しやすい位置に配置されている。
【００２９】
そして、図２の記録スタンバイ状態３０２において、ＰＬボタン１１９の長時間操作２０９があると、ＰＬ表示状態３０５へと移行する。
【００３０】
即ち、コントローラ１１５は記録スタンバイ３０２においてＰＬボタン１１９の長時間操作２０６があると、まず、記録再生回路１０５を制御して、ディスク１０７に記録されているＰＬファイルを全て再生し、ＰＬメモリ１２７に記憶する。そして、これらのＰＬファイルの内容をチェックし、表示制御回路１０９を制御して、このディスク１０７から再生されたＰＬファイルの一覧をメニューとして表示する。
【００３１】
図３はＰＬ表示状態３０５においてモニタ１１１に表示されるＰＬメニューの様子を示す図である。図３では、４０１〜４０４の４つのＰＬファイルがすでにディスク１０７に記録されている様子を示しており、各ＰＬについて、そのタイトル、更新日時及び再生時間を合わせて表示している。
【００３２】
ユーザはこのＰＬファイルのメニュー画面を確認し、十字選択キー１２５を操作することでこれから撮影するデータを登録するべき所望のＰＬファイルを予め選択することができる。図３では、４０１〜４０４の４つのＰＬファイルのうち、３つ目のＰＬファイルである、「Ski-noriko」というタイトルのＰＬファイル４０３が選択されている。
【００３３】
また、すでにディスク１０７に記録されているＰＬファイルではなく、新たにＰＬファイルを作成する場合には、新規作成４０５を選択する。コントローラ１１５は、新規作成４０５が選択されると、表示制御回路１０９を制御して不図示のタイトル入力画面をモニタ１１１に表示する。ユーザはこのタイトル入力画面において所望のタイトルを付加することができる。この際、そのＰＬファイルに登録する画像ファイルを連想させるタイトルを付加することで、後日新たに画像ファイルを追加登録する際、容易に分類可能となる。
【００３４】
更に、コントローラ１１５は、ＰＬメニュー画面を表示中、ＰＬボタン１１９に内蔵したＬＥＤを発光し、ＰＬファイルの選択中である旨をボタンの外観で示している。
【００３５】
予めＰＬファイルを図３のメニューより選択すると、コントローラ１１５はＰＬファイルのメニュー画面を消去し、代わりに撮像回路１０１からの画像をモニタ１１１に表示し、自動的に記録スタンバイ状態３０２へと移行する。
【００３６】
このようにこれから記録する画像ファイルを登録すべきＰＬファイルを選択した後の動画像データ、あるいは静止画像データの記録処理について説明する。
【００３７】
記録開始時の処理については通常の記録時の動作と同じであるが、ＰＬ表示、選択処理３０５において予めＰＬファイルが選択されている場合、コントローラ１１５は表示制御回路１０９を制御して、画像データの記録中図４に示すように現在選択されているＰＬファイルのタイトルを撮像回路１０１から出力される画像データと合成してモニタ１１１に表示する。こうすることで、ユーザは現在選択されているＰＬファイルを撮影中に常に確認することができる。
【００３８】
そして、トリガキー操作２０２により記録スタンバイ状態へと移行すると、コントローラ１１５は表示制御回路１０９を制御し、図５に示すように、選択中のＰＬファイルのタイトル６０１を所定時間（５〜１０秒程度）点滅表示し、その後消去する。また、このとき、今撮影を終了したデータの最後のシーン６０２を縮小した静止画像としてモニタ１１１に表示する。
【００３９】
ユーザは、今撮影した画像を選択中のＰＬファイルの登録したい場合、タイトル６０１が点滅表示している間にＰＬボタン１１９を短時間操作する。コントローラ１１５はトリガキー操作２０２による撮影終了後、所定時間以内にＰＬボタン１１９の短時間操作２０５があると、今撮影した画像データファイルを選択したＰＬファイル、ここでは「Ski-noriko」に対して割り当てて、新たに登録する。
【００４０】
また、記録終了後、所定時間以内にＰＬボタン１１９の短時間操作がない場合、選択されたＰＬファイルに対する自動登録を行わず、記録スタンバイ状態３０２となる。
【００４１】
ＰＬファイルに対する登録が終了すると、コントローラ１１５はモニタ１１１からＰＬファイルのタイトル表示６０１及び縮小画面の表示６０２を消去し、記録スタンバイ状態３０２となる。
【００４２】
ここで、登録処理とは、ＰＬファイルに基づいて再生を行う場合に、その画像ファイルが自動的に指定され、所定のタイミングで再生されるようＰＬファイルの再生手順を変更する処理である。
【００４３】
本形態では、コンピュータ記述言語であるＳＭＩＬに従って自動的にＰＬファイルを作成している。そして、前述のように、撮影後に自動的に画像データファイルを登録した場合、登録された順に再生されるようＰＬが生成される。
【００４４】
図６は本形態におけるＰＬファイルに対する画像データファイルの自動登録の様子を示す図である。
【００４５】
図６において、７０１は選択されたＰＬファイル「Ski-noriko」に記述されている自動再生プログラムにて示された画像データファイルの様子を示している。７０２はディスク１０７に記録された画像データファイルの様子を記録した時系列に従って示している。
【００４６】
図６では、記録データ７０２のうち、Photo003という静止画像データファイルがＰＬ７０１に登録されており、その後記録されたMov003,Photo004,Photo005,Photo006は登録されていない。そして、Mov004という動画像データの記録終了時７０３において、ＰＬボタン１１９を短時間操作することで、ＰＬ７０１に新たにMov004の動画像データを登録することが可能となる。そして、後述のようにＰＬ７０１による再生を行った場合、Photo001,Mov001,Photo003,Mov004という順に再生が行われる。
【００４７】
また、図６において、７０２の全てのファイルをＰＬ７０１に登録することも可能である。
【００４８】
また、本形態では、非登録ＰＬを自動的に作成し、ディスク１０７に記録されているデータ７０２のうち、選択されたＰＬ７０１に登録されなかったファイル、つまり、Mov003,Photo004,Photo005,Photo006をこの非選択ＰＬに自動的に登録している。
【００４９】
この非選択ＰＬはＰＬ表示、登録状態３０５における図３のＰＬメニュー画面には表示されず、後述のＰＬ編集処理において所定の操作を行うことで非選択ＰＬに関する操作を行うことができる。具体的には、非選択ＰＬに登録されているデータを一括してディスク１０７より消去するなどの機能を容易に実現することが可能となる。
【００５０】
また、本形態では、電源オフ状態３０１から電源・モードスイッチ１２１が操作されてカメラモードとなった後、再び電源オフ状態３０１または再生モードに移行するまでの間であって、最新のカメラモードにおける非選択ＰＬのみを有効としている。
【００５１】
即ち、一度カメラモードから電源オフ状態となった後、再びカメラモードとなると、それまで記憶していた非選択ＰＬの内容を全て消去し、新たに非選択ＰＬに対する登録を行う構成とした。
【００５２】
このように、ＰＬファイルに対する自動登録が行われた後、記録スタンバイ状態３０２において電源・モードスイッチ２０１が操作され、電源オフ状態３０１あるいは再生モードへの切り換えが指示されると、コントローラ１１５は記録再生回路１０５を制御して、ＰＬメモリ１２７に記録されたＰＬファイルを読み出して、ディスク１０７に記録する。なお、このとき記録されるＰＬファイルは当然、前述の自動登録処理によりその記述内容が変更されている。
【００５３】
ＰＬファイルの記録が終了すると、電源オフ状態３０１あるいは再生モードに移行する。
【００５４】
次に、再生モード時の動作について説明する。
【００５５】
まず、通常の再生動作について説明する。
【００５６】
電源・モードスイッチ１２１の操作２０１により、再生モードが設定されると、ストップ状態３０７に移行する。ストップ状態３０１において、コントローラ１１５は記録再生回路１０５を制御し、ディスク１０７の所定の領域に記録されている、ＴＯＣデータと呼ばれるデータを再生し、内部のメモリに記憶する。このＴＯＣデータとは、ディスク１０７に記録されているデータの記録位置や種類、記録時間、ファイル名など記録データに関する情報であり、更に、各動画像ファイル、静止画像ファイルを代表する縮小画像（サムネイル画像）を示す画像データを含んでいる。
【００５７】
コントローラ１１５は再生されたＴＯＣデータからサムネイル画像データを検出し、これを表示制御回路１０９に出力すると共に表示制御回路１０９を制御し、ディスク１０７に記録されている複数の画像ファイルを代表するサムネイル画像の一覧を示すインデックス画面をモニタ１１１に表示する。
【００５８】
ユーザは十字選択キー１２５を操作することで、所望のファイルを代表するサムネイル画像を選択し、再生操作ボタン部１２３の再生キーを操作する。再生キー操作２０７により再生状態３０８に移行する。
【００５９】
再生状態３０８において、コントローラ１１５は前述のＴＯＣデータに基づいて選択されたデータファイルの記録位置を検出する。そして、記録再生回路１０５を制御して選択されたデータをディスク１０７より再生する。記録再生回路１０５はディスク１０７より再生したデータから画像データ列を検出して画像処理回路１０３に出力する。
【００６０】
画像処理回路１０３は再生された画像データ列を復号し、表示制御回路１０９及び出力回路１１３に出力する。コントローラ１１５は表示制御回路１０９を制御し、再生された画像データに係る画像をモニタ１１１に表示する。また、出力回路１１３は画像処理回路１０３からの画像データを外部モニタなどの機器に適した形式に変換して出力する。
【００６１】
再生状態３０８において、再生操作ボタン部１２３のストップキーの操作２０８があると、再びストップ状態３０７となる。
【００６２】
次に、ＰＬによる再生動作について説明する。
【００６３】
ストップ状態３０７において、ＰＬボタン１１９の短時間操作２０９があると、ＰＬ表示、選択状態３０９へ移行する。
【００６４】
即ち、コントローラ１１５は、ストップ状態３０７におけるＰＬボタン１１９の短時間操作に応じて、記録再生回路１０５を制御してディスク１０７よりＰＬファイルを再生し、ＰＬメモリ１２７に記憶する。そして、表示制御回路１０９を制御し、ＰＬ表示、選択状態３０５において表示したものとほぼ同様のＰＬメニューをモニタ１１１に表示する。ただし、ここでは、図３のように新規作成表示４０５は行わず、ディスク１０７に記録されているＰＬファイルに関する表示のみを行う。
【００６５】
ユーザは十字選択キー１２５を操作し、図３の如きＰＬメニューより所望のＰＬファイルを選択することができる。そして、ＰＬファイルを選択後、再生操作ボタン部１２３の再生キー操作２１１によりＰＬ再生状態３１０となる。
【００６６】
即ち、ＰＬ再生状態３１０において、コントローラ１１５は、ＰＬメモリ１２９に記憶されたＰＬファイルのうち、選択されたＰＬファイルの内容を認識する。そして、記録再生回路１０５を制御して、その記述の通りにディスク１０７よりデータを再生し、画像処理回路１０３に出力する。画像処理回路１０３は再生された画像データを復号し、表示制御回路１０９、出力回路１１３に出力する。ＰＬによる再生中はモニタ１１１にＰＬ従う再生画像が表示される。
【００６７】
ＰＬファイルに記述されているデータの再生が終了すると、自動的にＰＬ表示、選択状態３０９に戻り、モニタ１１１には再びＰＬファイルのメニュー画面を表示する。
【００６８】
最後に、ＰＬファイルの編集処理について説明する。
【００６９】
ストップ状態３０７において、ＰＬボタン１１９の長時間操作２１０があると、ＰＬ作成、編集状態３１１となる。このＰＬ作成、編集状態３１１では、コントローラ１１５は表示制御回路１０９を制御して編集画面を表示し、ユーザは十字選択キー１２５を操作することで、ディスク１０７に記録するＰＬファイルに登録するデータの編集を行うことができる。また、前述の非登録ＰＬに従い、いずれのＰＬファイルにも非登録の画像ファイルの検索処理も可能となる。
【００７０】
即ち、コントローラ１１５は検索指示があるとディスク１０７より非登録ＰＬに登録されている画像ファイルのサムネイル画像データを再生し、これらを縮小してモニタ１１１に表示する。そして、検索された画像ファイルのサムネイルを一覧表示した後、更にこれらの画像ファイルの一括消去処理を行うことができる。
【００７１】
このように、ＰＬファイルに従う再生やＰＬファイルの編集処理が行われた後、ストップ状態３０７において電源・モードスイッチ１２１が操作され、電源オフ状態３０１あるいはカメラモードへの切り換えが指示されると、コントローラ１１５は記録再生回路１０５を制御して、ＰＬメモリ１２７に記録されたＰＬファイルを読み出して、ディスク１０７に記録する。
【００７２】
ＰＬファイルの記録が終了すると、電源オフ状態３０１あるいはカメラモードに移行する。
【００７３】
以上説明したように、本形態によれば、撮影を行う前に、ディスクに記録されている複数のＰＬファイルより予め登録すべきＰＬファイルを選択しておき、画像データの撮影終了時において、選択されたＰＬファイルに対して今撮影されたデータの再生指示の情報を追加するので、ユーザは一度ディスクに記録したデータを後日再生しながらＰＬファイルを生成、編集する手間がない。
【００７４】
そのため、カメラレコーダが持つ再生リスト機能を非常に有効に活用することができる。
【００７５】
また、撮影前におけるＰＬファイルの一覧表示及び、撮影後のＰＬファイルに対する画像データファイルの登録の指示を、いずれも共通のＰＬボタン１１９により実現しているため、容易に操作可能となる。
【００７６】
また、再生モードにおけるＰＬファイルの一覧表示、及び、ＰＬファイルの編集モードの設定指示も、同じＰＬボタン１１９の操作にて行うことができ、更に操作が容易になった。
【００７７】
また、撮影中は選択されているＰＬファイルのタイトルをモニタに表示しているため、ユーザは常に選択中のＰＬファイルを確認することができる。
【００７８】
また、撮影終了後、ＰＬファイルのタイトルを点滅表示することにより、ユーザに対して自動登録が有効である期間を容易に知らせることができ、更に、今撮影したシーンの最終画面を縮小表示するので、ユーザは今撮影した画像を選択中のＰＬファイルの登録すべきか否かということを判断するための助けにすることができる。
【００７９】
また、非登録ＰＬファイルを用意し、撮影時にＰＬファイルに対して登録されなかったデータファイルのみをこの非登録ＰＬファイルに自動的に登録することで、再生モードのＰＬ編集処理にてＰＬファイルにて用いられていない画像データのみを一括して消去することも可能となる。
【００８０】
なお、本形態では、ＰＬ表示、選択状態３０５において複数のＰＬファイルのうちの一つを選択していたが、複数のＰＬファイルを同時に選択することも勿論可能である。また、撮影終了後に、今撮影した画像データを選択中のＰＬファイルに登録するか否かをユーザに選択させていたが、撮影終了後は自動的に登録する構成を採ることも可能である。
【００８１】
また、本形態では、撮影終了後、新たに登録された画像ファイルはそのＰＬファイルに於いて最後に再生されていたが、選択したＰＬファイルのうち、これから撮影する画像ファイルを挿入する位置を撮影前に設定するよう構成することも可能である。この場合、ＰＬ表示、選択状態３０５において、ＰＬファイル中、挿入しようとする位置の直前のデータを自動的に再生し、モニタに表示する構成とすることが可能である。
【００８２】
また、ＰＬファイルの選択後、記録スタンバイ状態３０２において、再生操作ボタンなど所定の操作を行うことで、選択されているＰＬファイルにて指定されている画像の最後のシーンをプレビューする構成にすることも可能である。
【００８３】
また、非登録ＰＬに登録された画像ファイルを撮影日が変更するたびに消去する構成とすることも可能である。
【００８４】
なお、本形態においては、本発明をビデオカメラレコーダに対して適用した場合について説明したが、これ以外にも、例えば、メモリカードなどランダムアクセス媒体を使用する装置や、その他、再生リスト機能を持つ装置に対しても動余蘊異本発明を適用可能であり、その場合にも同様の効果をもつものである。
【００８５】
また、前述の再生リストへの登録処理や編集処理、画像データファイルの記録再生に伴う処理、画像データの符号化、復号化処理などをマイクロコンピュータによるソフトウェア処理により実現することも可能であり、この場合、ソフトウェアプログラムを記憶したメモリ、ＣＤ−ＲＯＭなどの記憶媒体も本発明を構成する。
【００８６】
【発明の効果】
以上説明したように、本発明によれば、ユーザの所望する再生リストを容易に生成可能となり、再生リスト機能を十分に活用することができる。
【図面の簡単な説明】
【図１】本発明が適用されるカメラレコーダの構成を示す図である。
【図２】図１の装置の動作状態を示す図である。
【図３】再生リストメニューの様子を示す図である。
【図４】撮影中の表示画像の様子を示す図である。
【図５】記録停止後の表示画像の様子を示す図である。
【図６】再生リストへの登録手順を示す図である。
【図１】
0004464012.tif 000002
【図２】
0004464012.tif 000003
【図３】
0004464012.tif 000004
【図４】
0004464012.tif 000005
【図５】
0004464012.tif 000006
【図６】
0004464012.tif 000007